(57)【要約】      （修正有）【課題】多様な練習方法に適した状態で見本を立て掛けられ、大きさにかかわらず安定した状態でお手本等を保持できると共に、使用していない毛筆を適切な状態で保管することが可能な書画用見本立てを提供する。【解決手段】起立した平板の上端面より下端面が幅広となるように手前側に傾斜する傾斜端面２２の下端部からさらに前方側に延伸させた延設部２３の上端部に複数の凹部２５および凸部２８が連なって形成された一対の側板２０と、一対の複数の側板２０どうしを所定間隔にあけて連結する上側連結梁３０、下側連結梁４０を具備し、各連結梁３０，４０には、鉤状をなす複数の保持具５０が先端部を上向きにした状態で所要間隔に取り付けられ、延設部２３は、傾斜端面２２の下端部から手前側に向って上端部の高さ位置が漸次低くなるように凹部２５および凸部２８が形成されている。【選択図】図１
0003173113.tif 000002
【実用新案登録請求の範囲】
【請求項１】
起立した平板の上端面より下端面が幅広となるように手前側に傾斜する傾斜端面と、該傾斜端面の下端部からさらに前方側に向って延設された延設部の上端部に複数の凹部および凸部が連なって形成された一対の側板と、
前記一対の複数の側板どうしを所定間隔にあけた状態で連結する上側連結梁および下側連結梁と、を具備し、
前記上側連結梁と前記下側連結梁には、鉤状をなす複数の保持具が先端部を上向きにした状態で前記上側連結梁と前記下側連結梁の長手方向に沿って所要間隔をあけて取り付けられており、
前記延設部は、前記傾斜端面の下端部から手前側に向って前記上端部の高さ位置が漸次低くなるように前記凹部および凸部が形成され、
前記一対の傾斜端面により背面を支持し、前記凹部により下端部を受けることで立て掛けられる書画用見本の傾斜角を前記凹部の選択により調整可能であることを特徴とする書画用見本立て。
【請求項２】
前記上側連結梁は、前記上側連結梁の前面が前記一対の側板の傾斜端面と面一位置および当該面一位置よりも後方側位置との間で、前記一対の側板に対する連結位置が調整可能であることを特徴とする請求項１記載の書画用見本立て。
【請求項３】
前記下側連結梁は、前記側板の底面より所定高さ位置で前記側板に連結されていることを特徴とする請求項２記載の書画用見本立て。
【請求項４】
前記下側連結梁は、前記上側連結梁の取り付け位置と同一鉛直線上位置から手前側へ所定間隔をあけた位置に取り付けられていることを特徴とする請求項３記載の書画用見本立て。
【請求項５】
前記保持具は、前記上側連結梁の背面側と前記下側連結梁の手前側にそれぞれ取り付けられていることを特徴とする請求項４記載の書画用見本立て。
【考案の詳細な説明】
【技術分野】
【０００１】
本考案は、書道や絵画等を習う際のお手本や作品を立て掛ける際に用いて好適な書画用見本立てに関する。
【背景技術】
【０００２】
書道や絵画を習う際には、近くに置いたお手本（見本）を真似るという練習方法が一般的である。また、出来上がった作品は、額縁等に入れた状態で壁に取り付けられる他、額縁用の保持具に保持させた状態で飾られることが多い。
【０００３】
このように書画を習う際には机の上にお手本を置くことができ、完成作品を飾ることができる保持具があると好都合である。このような要望を満たす書画用見本立てとしては、例えば特許文献１に開示されているような構成のものが知られている。
【先行技術文献】
【特許文献】
【０００４】
【特許文献１】実開平７−３９６３３号公報
【考案の概要】
【考案が解決しようとする課題】
【０００５】
特許文献１には、前端上部に額縁の下縁を支持する突起が形成された左右のベース部材と、上記左右のベース部材相互間を連結する連結棒と、上記左右のベース部材間に前後位置調整可能に立設されて上記額縁の裏面を支持する門形の支持部材とを備えた額縁支持具の構成が開示されている。このように保持すべき額縁の裏面を支持する門型の支持部材を、ベース部材の前後方向に位置調整可能にしていることで、額縁の大きさにかかわらず額縁を良好に保持することができるとされている。
【０００６】
ところで書画を習う際には、見本（以下、手本ということがある）を立て掛けた状態にして、立て掛けた手本を見ながら練習を行うことが多い。また、人によっては手本の立て掛け角度の好みに大きな差があることも知られている。そして、書画の練習方法には、立て掛けた手本を見ながら練習する方法や、手本の上に紙を重ねて、紙の上から手本を透かして手本を写し描きする練習方法がある。しかしながら、これらのような練習方法に十分応えることができる書画用の見本立てについては十分な提案がなされていないという課題がある。
また、書画の手本や作品には様々な大きさのものがあるため、手本や作品の背面を保持する部材の長さが固定されている場合には、手本や作品の背面保持高さが十分でなく、手本や作品を安定した状態で保持することができない場合があるという課題もある。
【０００７】
さらには、書画を描く際に多用される毛筆のコンディションを維持するためには、使用後には穂先を十分に洗浄し、穂先を横にした状態で乾燥させた後、筆に吊紐が付いているものは、穂先を下にして吊り下げた状態で保管することが重要であるとされている。にもかかわらず、従来使用後の毛筆を適切に保管することが可能な書画用見本立てについては全く提供されていないのが実情である。特に、書画を習う大部分の人は複数本の毛筆を所有しており、書画を習う際に使用していない毛筆の保管場所に苦慮するという場面が多く、このような不具合を解消することができる書画用見本立ての提案が強く望まれていた。
【０００８】
そこで本考案は、多様な練習方法における見本や手本または作品の立て掛け状態を提供することができ、手本や手本および作品の大きさにかかわらず安定した状態で手本や見本等を保持することが可能であると共に、使用していない毛筆を適切な状態で保管することが可能な書画用見本立ての提供を目的としている。
【課題を解決するための手段】
【０００９】
上記課題を解決するために本考案者は鋭意研究を行った結果、以下の構成に想到した。
すなわち、起立した平板の上端面より下端面が幅広となるように手前側に傾斜する傾斜端面と、該傾斜端面の下端部からさらに前方側に向って延設された延設部の上端部に複数の凹部および凸部が連なって形成された一対の側板と、前記一対の複数の側板どうしを所定間隔にあけた状態で連結する上側連結梁および下側連結梁と、を具備し、前記上側連結梁と前記下側連結梁には、鉤状をなす複数の保持具が先端部を上向きにした状態で前記上側連結梁と前記下側連結梁の長手方向に沿って所要間隔をあけて取り付けられており、前記延設部は、前記傾斜端面の下端部から手前側に向って前記上端部の高さ位置が漸次低くなるように前記凹部および凸部が形成され、前記一対の傾斜端面により背面を支持し、前記凹部により下端部を受けることで立て掛けられる書画用見本の傾斜角を前記凹部の選択により調整可能であることを特徴とする書画用見本立てである。
【００１０】
また、前記上側連結梁は、前記上側連結梁の前面が前記一対の側板の傾斜端面と面一位置および当該面一位置よりも後方側位置との間で、前記一対の側板に対する連結位置が調整可能であることが好ましい。これにより、一対の側板の傾斜端面と上側連結梁の前面とにより見本や手本の他作品の背面を保持することができるため、大判の見本や手本および作品であってもより安定的に保持することができる。
【００１１】
また、前記下側連結梁は、前記側板の底面より所定高さ位置で前記側板に連結されていることが好ましい。これにより、紙の下に見本や手本をセットして紙から見本や手本を透視して見本や手本を確認しながら写し描きをする際において、手本や手本の背面側から光を当てるための光源を設置し易くすることができるため、使い勝手を大幅に良好にすることができる。
【００１２】
また、前記下側連結梁は、前記上側連結梁の取り付け位置と同一鉛直線上位置から手前側へ所定間隔をあけた位置に取り付けられていることが好ましい。
さらには、前記保持具は、前記上側連結梁の背面側と前記下側連結梁の手前側にそれぞれ取り付けられていることが好ましい。
これらにより、上側連結梁から吊るした毛筆の筆先が下側連結梁に当たることがなく、毛筆の保管環境をより良好にすることができる。
【考案の効果】
【００１３】
本考案にかかる書画用見本立ての構成によれば、多様な練習方法における見本や手本または作品の立て掛け状態を提供することができ、手本や手本および作品の大きさにかかわらず安定した状態で見本等を保持することが可能である。また、使用していない毛筆を適切な状態で保管することが可能になる。
【図面の簡単な説明】
【００１４】
【図１】本実施形態における書画用見本立ての前方側斜視図である。
【図２】本実施形態における書画用見本立ての側面図である。
【図３】本実施形態における書画用見本立ての後方側斜視図である。
【図４】上側連結梁の斜視図である。
【図５】下側連結梁の斜視図である。
【図６】書画用見本立ての他の使用形態の一例を示す側面図である。
【考案を実施するための形態】
【００１５】
以下、本考案にかかる書画用見本立ての実施形態について図面に基づいて説明する。
図１〜図３に示すように本実施形態にかかる書画用見本立て１０は、左右一対の側板２０，２０と、所定間隔をあけて配設された一対の側板２０，２０を連結する上側連結梁３０および下側連結梁４０と、上側連結梁３０と下側連結梁４０に所定間隔をあけて取り付けられた保持具５０と、側板２０に上側連結梁３０および下側連結梁４０の両端を連結させるための連結具６０を有している。
【００１６】
起立した平板状の側板２０は、図２に示すように、前端面が上部から下部にかけて手前側に迫り出す傾斜端面２２に形成され、上端面における幅寸法よりも下端部側の幅寸法の方が幅広に形成されている。また、傾斜端面２２の下端部に連続する位置を起点として側板２０の手前側に向ってさらに延設された延設部２３が形成されている。延設部２３の上端部には、複数の凹部２５および凸部２８を有する凹凸部２４が形成されている。さらに側板２０の背面側（後方側）には、設置面に対してほぼ直交方向に起立する直立面２６が形成されている。このように側板２０は平面視形状が略Ｌ字型をなしている。
【００１７】
本実施形態にかかる延設部２３の上端部に形成された凹凸部２４は、３つの凹部２５および凸部２８により構成されている。このように形成された凹凸部２４において、凹部２５は書画の見本や手本および作品等の被保持体Ｇの下端部を保持するためのものである。これら複数の凹部２５および凸部２８により形成された凹凸部２４は、凹部２５および凸部２８の上端の高さ位置が、傾斜端面２２の下端部における高さ位置から延設部２３の手前側に向って漸次低くなるように形成されている。すなわち使用者は、図２内で実線および破線で示されているように、立て掛けるべき被保持体Ｇの大きさに応じて適切な高さ位置の凹部２５を選択し、選択した凹部２５にて被保持体Ｇの下端部を保持すれば、好みに応じた立て掛け角度により被保持体Ｇを立て掛け保持することができる。また、大判の被保持体Ｇを保持する場合には、被保持体Ｇの下端部位置を延設部２３の前方側の凹部２５で保持することにより、被保持体Ｇの傾斜角度が緩くすることができる。よって上側連結梁３０による被保持体Ｇの背面保持高さ位置を可及的に上側位置にすることもでき、被保持体Ｇを安定させた状態で立てかけ保持することが可能になる。
【００１８】
また、側板２０には、側板２０の高さ方向において所要間隔をあけた２箇所に側板２０の板厚方向に貫通する貫通孔２９が穿設されている。貫通孔２９には上側連結梁３０および下側連結梁４０の両端部がそれぞれの取付金具３２，４２を介して連結具６０により連結されている。このとき上側連結梁３０と下側連結梁４０とは、同一鉛直線上位置とならないように、上側連結梁３０の連結位置における鉛直線上位置から側板２０の手前側（図２参照）または直立面２６側（背面側）に所要距離離れた位置（図示せず）に下側連結梁４０を連結させている。
【００１９】
上側連結梁３０が連結される貫通孔２９は、上側連結梁３０の前面（手前側面）を側板２０の傾斜端面２２と面一にすることができる位置に穿設されている。貫通孔２９は上側および下側を問わず、側板２０の傾斜端面２２側から直立面２６側に所定の間隔をあけて複数箇所に穿設してもよい。また、下側連結梁４０の下面と設置面との間には十分なスペースが形成されるよう、下側の貫通孔２９の配設位置が設定されている。このスペースは、お手本や見本の写し描き練習を行う際の懐中電灯９０の設置用スペースとして用いることができる。
【００２０】
取付金具３２，４２は、図４および図５に示すように、それぞれＬ字型に形成されていて、側板２０への固定部分には長孔３３，４３が形成されている。長孔３３，４３部分に対する連結具６０の取り付け位置を変更することで、上側連結梁３０および下側連結梁４０の側板２０への連結位置を微調整することができる。なお、連結具６０としては、工具を用いることなく書画用見本立て１０の組み立手作業および分解作業を行うことができるように、ネジと蝶ナットを好適に用いることが好適である。このような形態を採用することにより、書画用見本立て１０が必要なときには直ちに組み立てをすることができ、書画用見本立て１０の片付けが必要な際や書画用見本立て１０を運搬する際には直ちに分解することができると共に、コンパクトに収納することができる点で好都合である。
【００２１】
上側連結梁３０と下側連結梁４０にはそれぞれ複数の保持具５０が取り付けられている。保持具５０はいずれも鉤型に形成されていて、一端部側が上側に延出するようにして他端側を上側連結梁３０および下側連結梁４０に差し込み固定している。本実施形態においては略Ｌ字状に形成され、他端部側を雄ねじ加工した保持具５０を採用している。このようにして形成された保持具５０は、上側連結梁３０の背面側および下側連結梁４０の手前側（前面側）に、それぞれの長手方向に沿って等間隔かつ同じ高さ位置となるようにして取り付けられている。
【００２２】
上側連結梁３０と下側連結梁４０に取り付けられている保持具５０は、書画を描く際に用いた書画用具の一部である毛筆７０の穂先を洗浄処理した後、穂先を乾燥させる際において、毛筆７０を水平方向に掛け渡した状態で保管することができる。毛筆７０の穂先は使用の毎に洗浄処理をした後、穂先を横に向けた状態で乾燥処理することが好ましく、本実施形態にかかる保持具５０は毛筆７０の保管においてきわめて有用である。また、上側連結梁３０に取り付けられている保持具５０は、毛筆７０の穂先が乾燥した後、吊紐部分を係止させることで穂先が下側となるようにして吊り下げ保持した状態で毛筆７０を保管することができる（図６参照）点においてさらに有用である。また、上側連結梁３０に取り付けられた保持具５０は、直立壁２６から十分離れた位置に取り付けられているため、吊り下げ保持されている毛筆７０の穂先が壁面に当たることによる穂先の損傷を防止している。
【００２３】
このように毛筆７０を保管する際は、穂先の湿潤／乾燥状態によって適切とされる保管形態が異なるが、本実施形態にかかる書画用見本立て１０の構成によれば、穂先の湿潤／乾燥状態にかかわらず毛筆７０を常に適切な態様で保管することができる点で好都合である。なお、毛筆７０に吊紐が付いていない場合には、穂先の湿潤／乾燥状態にかかわらず、穂先を横に向けた状態で保管すればよい。このような場合においても上側連結梁３０と下側連結梁４０の両方に保持具５０が配設されているので、複数本の毛筆７０を同時の保管することができる。
【００２４】
また、他の使用形態の一例としては、図６に示すように書画の手本８２や作品の背面（下面）を凸部２８と設置面で支持させることも可能である。このような設置形態においては、透明板８０の上面に書画の手本８２と写し描き用の紙８４を重ね透明板８０の下側から懐中電灯９０により光を当てれば、最上面の写し描き用の紙８４に書画の手本８２の線が投影されるので、手本８２の写し描きを容易に行うことができる。また、透明板８０の下面を支持する凸部２８は、異なる高さのものが複数設けられているので、書画の手本８２の写し描きを行う際もまた、書画の手本８２を所望の傾斜角度にセットすることができる点で好都合である。
【００２５】
以上に、本考案にかかる書画用見本立て１０を実施形態に基づいて詳細に説明をしたが、本考案における書画用見本立て１０は以上で説明した実施形態に限定されるものではなく、本考案の要旨を変更しない範囲において適宜変更がなされたとしても本考案の技術的範囲に属するのはもちろんである。例えば、本実施形態においては、側板２０に３つの凹部２５および凸部２８を配設した凹凸部２４の形態について説明しているが、凹凸部２４を構成する凹部２５と凸部２８の配設数は適宜調整することができる。また、側板２０の貫通孔２９は上側および下側にそれぞれ２箇所に配設しているが、貫通孔２９の配設数は特に限定されるものではない。また、本実施形態においては、側板２０の背面側部分が設置面と直交する直立面２６に形成されているが、必ずしも直立面２６である必要はない。上側連結梁３０の保持具５０に毛筆を吊り下げ保持した際に、毛筆７０が背面側の端面から所定距離離れた位置に吊り下げ保持することができれば、側板２０の背面側部分の形状は特に限定されるものではない。
【００２６】
また、以上の実施形態における保持具５０は略Ｌ字型をなしているが、円弧状部と差込部とからなる保持具（図示せず）の形態を採用してもよい。また、保持具５０は線材により構成されているが、板材により構成することもできる。すなわち、保持具５０により毛筆７０を吊り下げ保持する形態および横渡しさせた保持形態の両方の保持形態を実現できれば具体的な形態は特に限定されるものではない。
さらに、図６においては、透明板８０の下面側から光を照射する際の光照射手段として懐中電灯９０を用いた形態について説明しているが、透明板８０の下面に光を照射し、表面の紙８４から手本８２を透視することができれば、商用電源を用いた電灯等他の光照射手段を採用することももちろん可能である。
また、本実施形態にかかる書画用見本立て１０においては、書画の見本や手本を保持する使用形態について説明しているが、書画の作品や写真等を収納した額縁を保持する際に用いることももちろん可能である。
【符号の説明】
【００２７】
１０  書画用見本立て
２０  側板
２２  傾斜端面
２３  延設部
２４  凹凸部
２５  凹部
２６  直立面
２８  凸部
２９  貫通孔
３０  上側連結梁
３２，４２  取付金具
３３，４３  長孔
４０  下側連結梁
５０  保持具
６０  連結具
７０  毛筆
８０  透明板
８２  手本
８４  紙
９０  懐中電灯
Ｇ  被保持体
【図１】
0003173113.tif 000003
【図２】
0003173113.tif 000004
【図３】
0003173113.tif 000005
【図４】
0003173113.tif 000006
【図５】
0003173113.tif 000007
【図６】
0003173113.tif 000008